(57)【要約】  灯具（１）は、光源と、光源が配置される基板（５０）と、基板（５０）が配置されるハウジング（１０）と、基板（５０）に接続されハウジング（１０）の外部に導出する電線（２０）と、基板（５０）における光源が配置される領域とハウジング（１０）とで挟持される弾性を有する伝熱性シート（４０）と、を備え、ハウジング（１０）には、光源が配置される領域以外における基板（５０）の一部と重なる位置に、電線（２０）を収容する収容室である凹部（１６）が形成される。
2020149245.tif 000002
【特許請求の範囲】
【請求項１】
光源と、
前記光源が配置される基板と、
前記基板が配置されるハウジングと、
前記基板に接続され前記ハウジングの外部に導出する電線と、
前記基板における前記光源が配置される領域と前記ハウジングとで挟持される弾性を有する伝熱性シートと、
を備え、
前記ハウジングには、前記光源が配置される領域以外における前記基板の一部と重なる位置に、前記電線を収容する収容室が形成される
ことを特徴とする灯具。
【請求項２】
前記ハウジングは金属で構成され、
前記電線はアースを含み、
前記アースは、前記収容室内で前記ハウジングに接続される
ことを特徴とする請求項１に記載の灯具。
【請求項３】
少なくとも前記光源を覆う光透過性のアウターカバーと、
前記ハウジングに固定され、前記アウターカバーが固定されるホルダーと、
を更に備え、
前記ホルダーは金属製である
ことを特徴とする請求項１または２に記載の灯具。
【請求項４】
前記光源は複数の第１光源を含み、
前記複数の第１光源は、前記基板における前記収容室を挟む位置に少なくとも一対配置される
ことを特徴とする請求項１から３のいずれか１項に記載の灯具。
【請求項５】
前記光源は少なくとも１つの第２光源を含み、
前記第２光源は、前記収容室を挟んで配置された前記第１光源を結ぶ第１方向と垂直な第２方向における前記基板の前記収容室を基準とした少なくとも一方側に配置される
ことを特徴とする請求項４に記載の灯具。
【請求項６】
前記収容室は前記第２方向における前記基板の中心の他方側に偏在しており、
前記光源は、前記第２方向における前記基板の前記収容室を基準とした他方側には非配置である
ことを特徴とする請求項５に記載の灯具。
【請求項７】
前記基板における前記収容室と重なる位置に前記光源以外の電子部品が配置される
ことを特徴とする請求項１から６のいずれか１項に記載の灯具。
【請求項８】
第１光源及び第２光源と、
前記第１光源及び前記第２光源が配置されるハウジングと、
前記ハウジングに固定され前記第１光源及び前記第２光源を覆う光透過性のアウターカバーと、
透過する光の発散角を小さくするレンズと、
を備え、
前記アウターカバーには透過する光を拡散させる拡散領域と、透過する光の拡散が抑制される非拡散領域とが設けられ、
前記第１光源から出射する光は前記拡散領域を介して出射され、
前記第２光源から出射する光は前記レンズ及び前記非拡散領域を介して出射される
ことを特徴とする灯具。
【請求項９】
前記第１光源の点灯と前記第２光源の点灯とが同時に行われる
ことを特徴とする請求項８に記載の灯具。
【請求項１０】
前記非拡散領域は、前記アウターカバーの中心に対して偏在した位置に設けられ、
前記第２光源からの光が前記アウターカバーから出射する方向は、前記非拡散領域が前記アウターカバーの中心に対して偏在した方向とされる
ことを特徴とする請求項８または９に記載の灯具。
【請求項１１】
前記非拡散領域は、前記アウターカバーの外周に接して設けられる
ことを特徴とする請求項１０に記載の灯具。
【請求項１２】
前記レンズの光軸の方向は、前記第２光源からの光が前記アウターカバーから出射する方向とされる
ことを特徴とする請求項１０または１１に記載の灯具。
【請求項１３】
前記第１光源と前記第２光源とが共通の基板上に配置される
ことを特徴とする請求項８から１２のいずれか１項に記載の灯具。
【請求項１４】
前記非拡散領域よりも前記拡散領域の面積が広い
ことを特徴とする請求項８から１３のいずれか１項に記載の灯具。
【請求項１５】
前記レンズは前記アウターカバーよりも前記第２光源側に配置される
ことを特徴とする請求項８から１４のいずれか１項に記載の灯具。
【請求項１６】
前記レンズが前記アウターカバーの前記非拡散領域と一体とされる
ことを特徴とする請求項８から１４のいずれか１項に記載の灯具。
【発明の詳細な説明】
【技術分野】
【０００１】
本発明は、灯具に関し、具体的には、放熱性が阻害されることを抑制しつつ小型化し得る灯具や、広範囲の照明と局所的に明るい照明とを同時に実現しつつ、大型化が抑制され得る灯具に関する。
【背景技術】
【０００２】
灯具として、光源がハウジング内に配置されたものが知られている。下記特許文献１には、このような灯具が記載されている。この灯具では、放熱フィンが一体に形成されたハウジング内に配置された基板上に光源としてのＬＥＤ（Light Emitting Diode）が配置されている。また、この灯具では、ＬＥＤからの熱は、基板を介して放熱フィンに伝導し、放熱フィンから放散される。【０００３】
また、灯具として、光源からの光を拡散して照射することで、広範囲を照明するものが知られている。下記特許文献２には、このような灯具が記載されている。この灯具は、複数の光源から出射する光が、拡散パネルで拡散されて、灯具から出射する。従って、この灯具によれば、広範囲を照明することができる。【０００４】
【特許文献１】特開２０１４−６７５１５号公報
【特許文献２】特許第６３０８４３４号公報
【発明の概要】
【０００５】
本発明の第１の態様における灯具は、光源と、前記光源が配置される基板と、前記基板が配置されるハウジングと、前記基板に接続され前記ハウジングの外部に導出する電線と、前記基板における前記光源が配置される領域と前記ハウジングとで挟持される弾性を有する伝熱性シートと、を備え、前記ハウジングには、前記光源が配置される領域以外における前記基板の一部と重なる位置に、前記電線を収容する収容室が形成されることを特徴とするものである。
【０００６】
この灯具では、上記のように基板の一部と重なる位置に電線を収容する収容室が形成されているため、電線が基板の側方に収容される場合と比べて、灯具の基板の主面方向の大きさを小さくすることができる。一般に光源が配置される基板を有する場合、この基板の主面方向の大きさが灯具の大きさに影響する。従って、本発明の灯具によれば小型化を実現し得る。また、本発明の灯具では、上記のように基板における光源が配置される領域とハウジングとで挟持される弾性を有する伝熱性シートを備える。従って、伝熱性シートの弾性を利用して、基板の光源が配置される領域とハウジングとに伝熱性シートを密着させることができる。一般的に、灯具における最も発熱量の大きな電子部品は光源であるため、基板とハウジングとに密着する伝熱性シートを介して、光源からの熱をハウジングに伝導させ、ハウジングから熱を放散することができる。従って、本発明の灯具によれば放熱性が阻害されることを抑制することができる。
【０００７】
また、第１の態様における灯具において、前記ハウジングは金属で構成され、前記電線はアースを含み、前記アースは、前記収容室内で前記ハウジングに接続されることが好ましい。
【０００８】
このような構成によれば、何らかの原因でハウジングに突入電流が流れる場合であっても、アースを通じて突入電流を灯具の外部に伝導することができる。また、収容室内でアースがハウジングに接続されるため、アースが収容室外でハウジングに接続される場合と比べて、灯具を小型化し得る。
【０００９】
また、第１の態様における灯具において、少なくとも前記光源を覆う光透過性のアウターカバーと、前記ハウジングに固定され、前記アウターカバーが固定されるホルダーと、を更に備え、前記ホルダーは金属製であることが好ましい。
【００１０】
このような灯具によれば、アウターカバーにより塵埃が灯具内に侵入することを抑制できる。また、アウターカバーを固定しハウジングに固定されるホルダーが金属製であるため、ホルダーが例えば樹脂製の場合と比べて、ホルダーは熱伝導に優れる。従って、ハウジングの熱をホルダーを介してより効率的に放散し得る。従って、より放熱性に優れる。なお、ホルダーがシール等を介してハウジングに固定される場合であっても、ホルダーが金属製であることで、シール等を介してホルダーに伝導する熱を効率よく放散し得る。
【００１１】
また、第１の態様における灯具において、前記光源は複数の第１光源を含み、前記複数の第１光源は、前記基板における前記収容室を挟む位置に少なくとも一対配置されることが好ましい。
【００１２】
このような構成によれば、収容室を挟む位置に配置されたそれぞれの第１光源からの熱が収容室における第１光源に近い互いに対向する両側面に伝導し、当該両側面を介して熱を外部に放散させることができる。このため、収容室の一方側のみに第１光源が配置される場合と比べて、収容室における１つの側面に熱が集中することを抑制することができ、効率よく放熱し得る。
【００１３】
この場合、前記光源は少なくとも１つの第２光源を含み、前記第２光源は、前記収容室を挟んで配置された前記第１光源を結ぶ第１方向と垂直な第２方向における前記基板の前記収容室を基準とした少なくとも一方側に配置されることが好ましい。
【００１４】
このような構成によれば、光源が収容室の周りに更に分散されて配置されることになる。従って、熱が収容室の１つの側面に集中することをより抑制することができ、より効率よく放熱し得る。
【００１５】
さらに、前記収容室は前記第２方向における前記基板の中心の他方側に偏在しており、前記光源は、前記第２方向における前記基板の前記収容室を基準とした他方側には非配置であることとしてもよい。
【００１６】
また、第１の態様における灯具において、前記基板における前記収容室と重なる位置に前記光源以外の電子部品が配置されることが好ましい。
【００１７】
光源よりも発熱量が小さな光源以外の電子部品が、収容室と重なる位置に配置されることで、放熱性への影響を抑えつつ、基板の大型化を抑制し得る。
【００１８】
また、本発明の第２の態様における灯具は、第１光源及び第２光源と、前記第１光源及び前記第２光源が配置されるハウジングと、前記ハウジングに固定され前記第１光源及び前記第２光源を覆う光透過性のアウターカバーと、透過する光の発散角を小さくするレンズと、を備え、前記アウターカバーには透過する光を拡散させる拡散領域と、透過する光の拡散が抑制される非拡散領域とが設けられ、前記第１光源から出射する光は前記拡散領域を介して出射され、前記第２光源から出射する光は前記レンズ及び前記非拡散領域を介して出射されることを特徴とするものである。
【００１９】
この灯具によれば、第１光源からの光がアウターカバーの拡散領域を介して出射されるため、広範囲を照明することができる。また、第２光源からの光は、発散角を小さくするレンズとアウターカバーの非拡散領域とを介して出射されるため、局所的な場所を照明することができる。そして、これら第１光源及び第２光源が共通のアウターカバーで覆われるため、第１光源と第２光源とが別個のアウターカバーで覆われる場合と比べて、大型化が抑制され得る。このように本発明の灯具によれば、広範囲の照明と局所的に明るい照明とを実現しつつ、大型化が抑制され得る。
【００２０】
また、第２の態様における灯具において、前記第１光源の点灯と前記第２光源の点灯とが同時に行われることが好ましい。
【００２１】
このような構成によれば、広範囲の照明と局所的に明るい照明とを同時に実現することができる。
【００２２】
また、第２の態様における灯具において、前記非拡散領域は、前記アウターカバーの中心に対して偏在した位置に設けられ、前記第２光源からの光が前記アウターカバーから出射する方向は、前記非拡散領域が前記アウターカバーの中心に対して偏在した方向とされることが好ましい。
【００２３】
非拡散領域がアウターカバーの中心に設けられる場合、第１光源がアウターカバーの中心以外に設けられたとしても、第１光源と非拡散領域とが近付きやすく、第１光源からの光が非拡散領域から漏えいし易い。従って、拡散すべき光を効率的に出射しづらい傾向がある。これに対して、上記構成によれば、非拡散領域がアウターカバーの中心に対して偏在した位置に設けられるため、第１光源と非拡散領域とを離し易く、第１光源からの光が非拡散領域から出射することを抑制し易い。また、非拡散領域がアウターカバーの中心に対して偏在した方向に第２光源からの光が出射することで、非拡散領域がアウターカバーの中心に対して偏在した方向と異なる方向に第２光源からの光が出射する場合と比べて、当該光の出射方向を容易にコントロールし得る。
【００２４】
この場合、前記非拡散領域は、前記アウターカバーの外周に接して設けられることが好ましい。
【００２５】
このような構成とされることで、非拡散領域をアウターカバーの中心に対して最大限偏在させることができる。従って、第１光源からの光が非拡散領域から出射することをより抑制することができる。
【００２６】
また、第２の態様における灯具において、上記のように、前記非拡散領域が前記アウターカバーの中心に対して偏在した方向に、前記アウターカバーから前記第２光源からの光が出射する場合、前記レンズの光軸の方向は、前記第２光源からの光が前記アウターカバーから出射する方向とされることが好ましい。
【００２７】
この場合、第２光源が製造誤差をもってアッセンブリされたとしても、第２光源から出射する光の方向をレンズで補正することができる。従って、第２光源のアッセンブリを容易に行うことができる。
【００２８】
また、第２の態様における灯具において、前記第１光源と前記第２光源とが共通の基板上に配置されることが好ましい。
【００２９】
この場合、第１光源と第２光源とが別個の基板上に配置される場合と比べて、灯具をより小型化することができる。
【００３０】
また、第２の態様における灯具において、前記非拡散領域よりも前記拡散領域の面積が広いことが好ましい。
【００３１】
拡散領域の面積が広いことで、より広範囲な場所を照射することができる。
【００３２】
また、第２の態様における灯具において、前記レンズは前記アウターカバーよりも前記第２光源側に配置されることとしてもよい。
【００３３】
この場合、レンズとアウターカバーとが別体であるため、レンズの光軸の方向をより容易に調整することができる。
【００３４】
或いは、第２の態様における灯具において、前記レンズが前記アウターカバーの前記非拡散領域と一体とされることとしてもよい。
【００３５】
この場合、レンズとアウターカバーとが別体である場合と比べて、灯具をより小型化することができる。
【図面の簡単な説明】
【００３６】
【図１】本発明の第１実施形態における灯具の正面側から見た斜視図である。
【図２】図１の灯具の側面図である。
【図３】図１の灯具の分解斜視図である。
【図４】基板が配置されたハウジングの正面図である。
【図５】図１の灯具の正面図である。
【図６】図５のVI−VI線における断面図である。
【図７】本発明の第２実施形態における灯具を図６と同様にして示す図である。
【発明を実施するための形態】
【００３７】
以下、本発明に係る灯具を実施するための形態が添付図面とともに例示される。以下に例示する実施形態は、本発明の理解を容易にするためのものであり、本発明を限定して解釈するためのものではない。本発明は、その趣旨を逸脱することなく、以下の実施形態から変更、改良することができる。なお、以下で参照する図面では、理解を容易にするために、各部材の寸法を変えて示す場合がある。
【００３８】
（第１実施形態）
まず、本実施形態の灯具の構成について説明する。
【００３９】
図１は、本実施形態における灯具の正面側から見た斜視図であり、図２は、図１の灯具の側面図であり、図３は、図１の灯具の分解斜視図である。図１から図３に示すように、本実施形態の灯具１は、ハウジング１０と、電線２０と、ホルダー８０と、伝熱性シート４０と、基板５０と、レンズユニット６０と、アウターカバー７０と、を主な構成として備える。
【００４０】
図４は、基板が配置されたハウジングの正面図である。ハウジング１０は、金属から成り、本実施形態では、ハウジング１０はアルミニウムのダイキャスト成形により作成されたものである。なお、ハウジング１０はこのようなダイキャストで成形されたものではなくてもよく、また、他の金属から成ってもよい。図３、図４に示すように、ハウジング１０は、底壁１１と、側壁１２と、複数の放熱板１５と、を主な構成として備える。側壁１２は、概ね円筒形の形状をしており、一方の縁は開口しており、この一方の縁の複数個所にねじ孔１４が形成されている。このねじ孔１４は、ハウジング１０とホルダー８０とを固定するねじが螺入される孔である。側壁１２の他方の縁には底壁１１が接続されている。底壁１１には、概ね平面状である主壁部１１Ｍに、凹部１６と一対の凹部１７とが形成されている。主壁部１１Ｍには、複数のボス１３Ｂが設けられており、それぞれのボス１３Ｂにはねじ孔１３が形成されている。このねじ孔１３は、ハウジング１０に基板５０を固定するねじが螺入される孔である。なお、図３では、図面の複雑化を避けるため、１つのねじ孔１４、ボス１３Ｂ及びねじ孔１３のみに符号が記載されている。
【００４１】
底壁１１の側壁１２側と反対側の面には複数の放熱板１５が接続されている。それぞれの放熱板１５は、等間隔で互いに平行に底壁１１から離れる方向に延在しており、底壁１１の中心側の放熱板１５ほど高く形成されている。
【００４２】
底壁１１に形成されたそれぞれの凹部１７は、正面視で概ね長方形の形状をしている。これら一対の凹部１７は、底壁１１の概ね中心を通る直線と重なるようにして、底壁１１の端に互いに対向して形成されている。この凹部１７は、後述するように基板５０に配置される電子部品が収容されるための凹部である。
【００４３】
また、底壁１１に形成された凹部１６は、底壁１１の中心から偏在した位置に形成されている。凹部１６は、側壁部１６Ｓと底壁部１６Ｂとを含んで形成されている。凹部１６は、正面視で概ね長方形の形状をしているが、その一辺が側壁１２に沿った弧状とされる。従って、凹部１６を形成する複数の側壁部１６Ｓのうち、３つの側壁部１６Ｓは概ね平面状であり、１つの側壁部１６Ｓは側壁１２に沿って湾曲している。図５は、図１の灯具の正面図であり、図６は、図５のVI−VI線における断面図である。図３、図４、図６等に示すように、底壁部１６Ｂには、円錐台形の凹部１８が形成されている。つまり、底壁１１に形成される凹部１６は、概ね直方体状の空間と円錐台形の空間とが接続された形状とされる。この円錐台形の凹部１８の底部には、ハウジング１０の外部に連通する孔が形成されている。この孔はハウジング１０の外部からハウジング１０の内部に電線２０が挿通される孔である。
【００４４】
電線２０は、複数の電力線と、アース２２とを有する。図６に示すように、電線２０は、ハウジング１０における円錐台形の凹部１８の底部に形成された孔を通じて、ハウジング１０の内部から外部に導出している。また、図３、図４に示すように、電線２０のハウジング１０内の端部にはコネクタ２１が接続されている。複数の電力線は、このコネクタ２１の端子に接続され、コネクタ２１は、後述のように基板５０に接続される。アース２２は、凹部１６内において、電力線から分離されて、ねじによりハウジング１０に接続されて固定されている。こうしてアース２２とハウジング１０とが電気的に接続されている。電線２０のハウジング１０内に位置する部位は、基板５０が配置された状態で、凹部１８を含む凹部１６内に配置されている。つまり、凹部１８を含む凹部１６が、電線２０を収容する収容室とされる。なお、図２等に示すように、ハウジング１０の外側において、電線２０がハウジング１０へ挿通される部位はブーツ２４に挿通され、ブーツ２４はハウジング１０に嵌められている。また、電線２０のハウジング１０の外側の端部には、他の機器と接続するためのコネクタ２５が設けられている。
【００４５】
伝熱性シート４０は、弾性及び絶縁性を有し、熱伝導性に優れるシートである。本実施形態では、熱伝導シートとしてシリコン樹脂シートが用いられる。図３に示すように、伝熱性シート４０は、概ね側壁１２に沿った外形を有しており、本実施形態では概ね円形の外形とされる。伝熱性シート４０には、ハウジング１０の底壁１１に設けられているボス１３Ｂが貫通するための複数の円形の開口４３、及び、電線２０の収容室である凹部１６と重なる位置に形成される概ね長方形の開口４６が形成されている。従って、伝熱性シート４０がハウジング１０の底壁１１上に配置された状態で、開口４３からハウジング１０のボス１３Ｂが突出し、開口４６からは凹部１６が露出する。また、伝熱性シート４０は、ハウジング１０の底壁１１上に配置された状態で、ハウジング１０の凹部１６、１７及びボス１３Ｂが形成された領域以外の部位と基板５０とで挟持される。なお、伝熱性シート４０の凹部１７と重なる領域には開口が形成されていないが、凹部１７が主壁部１１Ｍから凹んでいるため、伝熱性シート４０の凹部１７と重なる領域は、基板５０とハウジング１０とで挟持されない。
【００４６】
基板５０は、ガラスエポキシやセラミック等の基板上に配線が施された基板である。基板５０の表面には複数の光源が配置され、当該表面及び裏面の少なくとも一方に光源以外の電子部品５５が配置されている。本実施形態では、光源以外の電子部品５５が両面実装されている。基板５０は、概ね側壁１２に沿った外形であり、本実施形態では伝熱性シート４０と概ね同じ円形の外形とされ、裏面がハウジング１０の底壁１１側を向いてハウジング１０に配置される。上記のように、凹部１６は側壁１２で囲まれる領域の中心から偏在した位置に形成されているため、基板５０がハウジング１０に配置された状態で、凹部１６は基板５０の中心に対して偏在している。また、基板５０が伝熱性シート４０を介してハウジング１０の底壁１１上に配置された状態で、基板５０とハウジング１０とが複数のねじで固定され、上記のように、伝熱性シート４０は、基板５０とハウジング１０とで挟持される。
【００４７】
基板５０の表面に配置される複数の光源は複数の第１光源５１及び複数の第２光源５２を含み、本実施形態では、第１光源５１と第２光源５２とは互いに同じ構成とされる。本実施形態では、第１光源５１及び第２光源５２は、基板５０の法線方向に光軸が向くように光を出射する。第１光源５１は、基板５０における凹部１６と重なる領域を挟む位置に少なくとも一対配置される。
【００４８】
図４に示すように、本実施形態では、一対の第１光源５１は、基板５０上において、凹部１６が基板５０の中心に対して偏在している方向に垂直な第１方向に沿って延在し凹部１６の中心近傍を通る直線Ｌ１１ａ上に配置され、これら一対の第１光源５１が凹部１６を挟んでいる。別言すれば、第１方向は、収容室を挟んで配置された第１光源５１を結ぶ方向である。また、本実施形態では、他の一対の第１光源５１は、基板５０上において、当該第１方向に沿って延在し、凹部１６の平面状の側壁部１６Ｓと概ね重なる直線Ｌ１１ｂ上に配置されている。なお、一対の凹部１７は、第１方向に沿って、第１光源５１の配置位置よりも外周側において、側壁１２の脇に形成されている。従って、凹部１７と第１光源５１とは重ならない。
【００４９】
また、第２光源５２は、基板５０上において、上記第１方向と垂直な方向である第２方向に沿って延在する直線Ｌ２上のうち、凹部１６が基板５０の中心に対して偏在している方向と反対側である凹部１６の一方側に配置されている。この第２方向は、凹部１６が基板５０の中心に対して偏在している方向に沿う方向である。こうして、第２光源５２は、第２方向において、基板５０の中心に対して凹部１６の偏在する側と反対側に配置され、凹部１６と並んでいる。また、本実施形態では、一対の第２光源５２は、上記第１方向に沿って延在し凹部１６の上記一方側を通る直線Ｌ１２上に配置されている。なお、本実施形態では、第２方向における凹部１６を基準とした他方側には光源が非配置とされる。
【００５０】
このように、第１光源５１が上記第１方向において凹部１６を挟んで配置され、第２光源５２が上記第２方向において凹部１６と並んで配置されており、さらに上記のように、伝熱性シート４０が、ハウジング１０の凹部１６、１７及びボス１３Ｂが形成された領域以外と基板５０とで挟持される。従って、伝熱性シート４０は、基板５０における少なくとも光源が配置される領域とハウジング１０の底壁１１とで挟持される。
【００５１】
また、基板５０に配置される光源以外の電子部品５５には、整流回路や定電流回路やソケット等が含まれる。これら電子部品５５は、少なくとも一部が基板５０における凹部１６と重なる位置に配置される。ソケットは、電線２０の電力線に設けられるコネクタ２１と接続される部品であるため、特に図示しないが、基板５０における凹部１６と重なる位置において凹部１６側の面である裏面に配置され、電線２０の電力線の端部に設けられたコネクタ２１に接続されている。また、基板５０の裏面における凹部１７と重なる位置には、例えば、定電流回路の少なくとも一部を構成する電子部品５５Ｃが配置され、基板５０がハウジング１０に配置された状態で、当該電子部品５５Ｃは凹部１７内に配置される。
【００５２】
図３、図６に示すように、基板５０の第２光源５２を覆う位置には、レンズユニット６０が配置されている。レンズユニット６０は、台座部６１と、台座部６１と一体成型された一対のレンズ６２とを有する。レンズユニット６０が基板５０の表面上に配置された状態で、それぞれのレンズ６２は、個別に第２光源５２を覆い、レンズ６２の焦点が第２光源５２と概ね一致している。従って、第２光源５２から出射する光は、レンズ６２にそれぞれ入射する。それぞれのレンズ６２は、凸レンズであり、入射する光の発散角を小さくするレンズである。また、それぞれのレンズ６２の光軸ＯＡは、基板５０の表面の法線方向に対して、凹部１６が基板５０の中心に対して偏在する方向と反対側の方向に傾いている。従って、それぞれのレンズ６２から出射する第２光源５２からの光は、第２光源５２から出射する光の発散角よりも小さな発散角で、基板５０の中心を通る基板５０の法線から離れる方向に伝搬する。
【００５３】
アウターカバー７０は、ホルダー８０に固定されている。ホルダー８０は、金属から成る平板上の部材である。本実施形態では、図３、図５に示すように、ホルダー８０の外形は概ね正方形であり、それぞれの頂点近傍に灯具１を壁等の構造物に取り付けるためのねじ孔８５が形成されている。従って、ホルダー８０は、アウターカバー７０を固定するとともに、灯具１を壁等の構造物に固定する。また、ホルダー８０の中央には円形の開口８７が形成されている。この開口８７は、ハウジング１０の側壁１２の内周面よりも小さく、概ね基板５０の外形と同じ円形で同じ大きさである。この開口８７にアウターカバー７０が嵌められている。この開口８７の周りにハウジング１０の側壁１２に形成されたねじ孔１４と重なるように複数のねじ孔８４が形成されている。
【００５４】
アウターカバー７０は、光透過性の材料から形成されている。アウターカバー７０の外周には、フランジ部７０Ｆが接続されている。アウターカバー７０は、外周が概ね円形であり、ドーム状の形状をしている。アウターカバー７０の外周の大きさは、ホルダー８０の開口よりも僅かに小さい大きさであり、ドーム状のアウターカバー７０がホルダー８０の開口８７から突出するように嵌められている。フランジ部７０Ｆは、アウターカバー７０の外周から離れる方向に延在している。このフランジ部７０Ｆがホルダー８０の開口の周りに接着されることで、アウターカバー７０はホルダー８０に固定されている。なお、フランジ部７０Ｆは、ねじ孔８４が形成される位置を避けるように形成されている。
【００５５】
このようにアウターカバー７０が固定されるホルダー８０のねじ孔８４からハウジング１０のねじ孔１４にねじが螺入されることで、ハウジング１０はホルダー８０に固定される。なお、ハウジング１０とホルダー８０との間には、シールが介在し、ハウジング１０とホルダー８０との間に隙間が生じることが抑制されてもよい。こうして、アウターカバー７０がホルダー８０を介してハウジング１０に固定されることで、アウターカバー７０は、それぞれの第１光源５１を覆うとともに、それぞれの第２光源５２をレンズ６２ごと覆う。従って、第２光源５２を覆うそれぞれのレンズ６２はアウターカバー７０よりも第２光源５２側に位置することになる。また、上記のようにアウターカバー７０がハウジング１０に固定された状態で、基板５０の中心とアウターカバー７０の中心とが概ね一致する。
【００５６】
図５等に示すように、アウターカバー７０は、拡散領域７１と非拡散領域７２とを含む。拡散領域７１は、しぼ加工等により、基板側の面である裏面に光を散乱させる凹凸が形成されている。従って、拡散領域７１を透過する光は散乱される。また、非拡散領域７２は、表面の凹凸ができるだけ抑えられたクリア領域である。従って、非拡散領域７２を透過する光は拡散が抑制され概ね素通しされる。
【００５７】
本実施形態では、拡散領域７１の面積は非拡散領域７２の面積よりも大きく、アウターカバー７０がホルダー８０を介してハウジング１０に取り付けられた状態で、拡散領域７１はそれぞれの第１光源５１を覆い、非拡散領域７２はそれぞれのレンズ６２を覆う。上記のように、第２光源５２は、基板５０の中心よりも凹部１６の偏在する側と反対側に配置されており、基板５０の中心とアウターカバー７０の中心とが概ね一致するため、非拡散領域７２はアウターカバー７０の中心に対して凹部１６の偏在する側と反対側に偏在している。また、本実施形態では、非拡散領域７２はアウターカバー７０の外周に接して形成されている。このような拡散領域７１及び非拡散領域７２が形成されることで、第１光源５１から出射する光は、拡散領域７１を介して灯具１から出射し、第２光源５２から出射する光はレンズ６２及び非拡散領域７２を介して灯具１から出射する。
【００５８】
次に本実施形態の灯具１の動作について説明する。
【００５９】
不図示のスイッチにより電線２０の信号ケーブルに所定の電力が印加されると、基板５０を介してそれぞれの第１光源５１及びそれぞれの第２光源５２に電流が流れ、各第１光源５１及び各第２光源５２から光が出射する。本実施形態では、第１光源５１及び第２光源５２はそれぞれ同じ構成とされ、第１光源５１及び第２光源５２のそれぞれに概ね同じ大きさの電流が流れる。従って、各第１光源５１及び各第２光源５２から出射する光は概ね同じ強度とされる。また、本実施形態では、各第１光源５１及び各第２光源５２からは、基板５０の主面に対する法線方向に光軸が向くように、光が出射する。
【００６０】
第１光源５１から出射する光は、アウターカバー７０の拡散領域７１に入射して、拡散された光ＤＬがアウターカバー７０から出射する。また、第２光源５２から出射する光は、レンズ６２で発散角が小さくされると共に、レンズ６２の光軸方向に沿ってレンズ６２から出射する。レンズ６２から出射する光はアウターカバー７０の非拡散領域７２に入射して、拡散が抑制された光ＣＬがアウターカバー７０から出射し、当該光で広範囲が照明される。
【００６１】
ところで、上記のように、非拡散領域７２はアウターカバー７０の中心に対して凹部１６の偏在する側と反対側に偏在している。このため基板５０の中心及びアウターカバー７０の中心を基準として、第２光源５２及び非拡散領域７２がともに凹部１６の偏在している側と反対側に偏在していることになる。更に、上記のように、レンズ６２の光軸ＯＡが凹部１６の偏在している側と反対側に傾いている。従って、レンズ６２を介して非拡散領域７２から出射する第２光源５２からの光ＣＬは、非拡散領域７２がアウターカバー７０の中心から偏在した方向に出射する。この非拡散領域７２から出射する第２光源５２からの光ＣＬは、レンズ６２で発散角が小さくされ、拡散が抑制された光であるため、局所的な照明をする。
【００６２】
次に本実施形態の灯具１の作用、効果について説明する。
【００６３】
灯具の光源に電力を供給する場合、一般的に、ハウジング上に配置される基板に灯具の外部に導出する電線が接続され、灯具の外部から電力が電線及び基板を介して光源に供給される。このような灯具が組み立てられる場合、基板がハウジングから離間された状態で基板と電線とが接続され、その後、基板がハウジング上に配置されることがある。この場合、基板がハウジング上に配置された状態で電線が余り、余った電線はハウジング内のいずれかの場所に収容される。上記特許文献１に記載の灯具では、このような余剰の電線の配置について考察されていない。仮に、電線をハウジング内に収容する場合、基板の側方の空間に配置せざるを得ない。このため、上記特許文献１に記載の灯具は大型化する傾向がある。しかし、近年のデザインの多様化から灯具に対する小型化の要請がある。
【００６４】
一方、灯具を小型化すると、放熱性が阻害されるという懸念がある。
【００６５】
本実施形態の第１の態様における灯具１は、第１光源５１及び第２光源５２と、第１光源５１及び第２光源５２が配置される基板５０と、基板５０が配置されるハウジング１０と、基板５０に接続されハウジング１０の外部に導出する電線２０と、基板５０における第１光源５１及び第２光源５２が配置される領域とハウジング１０とで挟持される弾性を有する伝熱性シート４０と、を備える。そして、ハウジング１０には、第１光源５１及び第２光源５２が配置される領域以外における基板５０の一部と重なる位置に、電線２０を収容する収容室としての凹部１６が形成されている。
【００６６】
この灯具１では、上記のように基板５０の一部と重なる位置に電線２０を収容する収容室としての凹部１６が形成されているため、電線２０が基板５０の側方に収容される場合と比べて、灯具１の基板５０の主面方向の大きさを小さくすることができる。一般に光源が配置される基板を有する場合、この基板の主面方向の大きさが灯具の大きさに影響する。従って、本実施形態の灯具１によれば小型化を実現し得る。また、本実施形態の灯具１では、上記のように基板５０における第１光源５１及び第２光源５２が配置される領域とハウジング１０とで挟持される弾性を有する伝熱性シート４０を備える。従って、伝熱性シートの弾性を利用して、基板５０の第１光源５１及び第２光源５２が配置される領域とハウジング１０とに伝熱性シート４０を密着させることができる。一般的に、灯具における最も発熱量の大きな電子部品は光源であるため、基板５０とハウジング１０とに密着する伝熱性シート４０を介して、第１光源５１及び第２光源５２からの熱をハウジング１０に伝導させ、ハウジング１０から熱を放散することができる。従って、本実施形態の灯具１によれば放熱性が阻害されることを抑制することができる。つまり、本実施形態の灯具１は、放熱性が阻害されることを抑制しつつ小型化し得る。
【００６７】
また、本実施形態ではハウジング１０は金属で構成され、電線２０はアース２２を含み、アース２２は、収容室としての凹部１６内でハウジング１０に接続されている。従って、何らかの原因でハウジング１０に突入電流が流れる場合であっても、アース２２を通じて突入電流を灯具１の外部に伝導することができる。また、凹部１６内でアース２２がハウジング１０に接続されるため、アース２２が凹部１６外でハウジング１０に接続される場合と比べて、灯具１を小型化し得る。また、ハウジング１０が金属で構成されることで、ハウジング１０に伝導した第１光源５１及び第２光源５２からの熱をより効率よく放散することができる。
【００６８】
また、本実施形態の灯具１では、ハウジング１０に固定されアウターカバー７０が固定されるホルダー８０が金属製である。従って、ホルダー８０が例えば樹脂製の場合と比べて、ホルダー８０は熱伝導に優れる。このため、ハウジング１０の熱をホルダー８０を介してより効率的に放散し得、より放熱性に優れる。なお、ホルダー８０がシール等を介してハウジングに固定される場合であっても、ホルダー８０が金属製であるため、シールを介してホルダー８０に伝導する熱を効率よく放散し得る。
【００６９】
また、本実施形態の灯具１では、複数の第１光源５１は、基板５０における収容室である凹部１６を挟む位置に少なくとも一対配置されている。従って、それぞれの第１光源５１からの熱が凹部１６の互いに対向する一対の側壁部１６Ｓに伝導し、両側壁部１６Ｓを介して熱を外部に放散させることができる。このため、凹部１６の一方側のみに第１光源５１が配置される場合と比べて、熱が凹部１６の１つの側壁部１６Ｓに集中することを抑制することができ、効率よく放熱し得る。
【００７０】
さらに、本実施形態の灯具１では、第２光源５２は、凹部１６を挟んで配置された第１光源５１を結ぶ第１方向と垂直な第２方向における基板５０の凹部１６を基準とした少なくとも一方側に配置されている。このため、光源が凹部１６の周りに更に分散されて配置されることになる。従って、熱が収容室の１つの側壁部１６Ｓに集中することをより抑制することができ、より効率よく放熱し得る。
【００７１】
また、本実施形態の灯具１では、基板５０における凹部１６と重なる位置に光源以外の電子部品５５が配置されている。光源よりも発熱量が小さな光源以外の電子部品５５が、凹部１６と重なる位置に配置されることで、放熱性への影響を抑えつつ、基板５０の大型化を抑制し得る。
【００７２】
ところで、灯具に対して、広範囲な照明とともに、局所的により明るく照明したいとの要請がある。例えば、広範囲な照明により、物の全体的な配置等を把握し、局所的に明るく照明されることで、明るく照明された位置で文字を認識したり、特定の作業を行いたいとの要請がある。
【００７３】
一般にこのような要請にこたえるためには、広範囲を照明する灯具と、局所的に明るく照明をする灯具とを用意する必要があり、全体として灯具が大型化するという懸念がある。
【００７４】
本実施形態の第２の態様における灯具１は、第１光源５１及び第２光源５２と、第１光源５１及び第２光源５２が配置されるハウジング１０と、ハウジング１０に固定され第１光源５１及び第２光源５２を覆う光透過性のアウターカバー７０と、透過する光の発散角を小さくするレンズ６２と、を備える。そして、アウターカバー７０には透過する光を拡散させる拡散領域７１と、透過する光の拡散が抑制される非拡散領域７２とが設けられ、第１光源５１から出射する光は拡散領域７１を介して出射され、第２光源５２から出射する光はレンズ６２及び非拡散領域７２を介して出射される。
【００７５】
このような構成を含む本実施形態の灯具１によれば、第１光源５１からの光が拡散領域７１を介して出射されることで、広範囲を照明することができる。また、第２光源５２からの光は、レンズ６２と非拡散領域７２とを介して出射されるため、局所的な場所を照明することができる。そして、これら第１光源５１及び第２光源５２が共通のアウターカバー７０で覆われるため、第１光源５１と第２光源５２とが別個のアウターカバーで覆われる場合と比べて、大型化が抑制され得る。このように本実施形態の灯具１によれば、広範囲の照明と局所的に明るい照明とを実現しつつ、大型化が抑制され得る。
【００７６】
また、本実施形態の灯具１では、第１光源５１の点灯と第２光源５２の点灯とが同時に行われる。従って、広範囲の照明と局所的に明るい照明とを同時に実現することができる。
【００７７】
また、本実施形態の灯具１では、非拡散領域７２は、アウターカバー７０の中心に対して偏在した位置に設けられ、第２光源５２からの光がアウターカバー７０から出射する方向は、非拡散領域７２がアウターカバー７０の中心に対して偏在した方向とされる。非拡散領域７２がアウターカバー７０の中心に設けられる場合、第１光源５１がアウターカバー７０の中心以外に設けられたとしても、第１光源５１と非拡散領域７２とが近付きやすく、第１光源５１からの光が非拡散領域７２から漏えいし易い。従って、拡散すべき光を効率的に出射しづらい傾向がある。これに対して、本実施形態の灯具１によれば、非拡散領域７２がアウターカバー７０の中心に対して偏在した位置に設けられるため、第１光源５１と非拡散領域７２とを離し易く、第１光源５１からの光が非拡散領域７２から出射することを抑制し易い。また、非拡散領域７２がアウターカバー７０の中心に対して偏在した方向に第２光源５２からの光が出射することで、非拡散領域７２がアウターカバー７０の中心に対して偏在した方向と異なる方向に第２光源５２からの光が出射する場合と比べて、当該光の出射方向を容易にコントロールし得る。
【００７８】
さらに本実施形態の灯具１では、非拡散領域７２は、アウターカバー７０の外周に接して設けられている。このため、非拡散領域７２をアウターカバー７０の中心に対して最大限偏在させることができる。従って、第１光源５１からの光が非拡散領域７２から出射することをより抑制することができる。
【００７９】
また本実施形態の灯具１では、レンズ６２の光軸の方向は、第２光源５２からの光がアウターカバー７０から出射する方向とされている。このため、第２光源５２が製造誤差をもってアッセンブリされたとしても、第２光源５２から出射する光の方向をレンズ６２で補正することができる。従って、第２光源５２のアッセンブリを容易に行うことができる。
【００８０】
また本実施形態の灯具１では、第１光源５１と第２光源５２とが共通の基板５０上に配置されているため、第１光源５１と第２光源５２とが別個の基板上に配置される場合と比べて、灯具１をより小型化することができる。
【００８１】
また本実施形態の灯具１では、非拡散領域７２よりも拡散領域７１の面積が広いため、より広範囲な場所を照射することができる。
【００８２】
また本実施形態の灯具１では、レンズ６２はアウターカバー７０よりも第２光源５２側に配置されている。つまり、レンズ６２とアウターカバー７０とが別体である。このため、レンズ６２の光軸の方向をより容易に調整することができる。
【００８３】
（第２実施形態）
次に、本発明の第２実施形態について図７を参照して詳細に説明する。なお、第１実施形態と同一又は同等の構成要素については、特に説明する場合を除き、同一の参照符号を付して重複する説明は省略する。
【００８４】
図７は、本実施形態にかかる灯具を図６と同様にして示す図である。本実施形態の灯具１は、それぞれのレンズ６２がアウターカバー７０と一体にされる点において、第１実施形態の灯具１と異なる。具体的には、本実施形態では、非拡散領域７２にレンズ６２が設けられている。本実施形態においても、レンズユニット６０が基板５０の表面上に配置された状態で、それぞれのレンズ６２は、個別に第２光源５２を覆い、レンズ６２に焦点が第２光源５２と概ね一致している。また、本実施形態においても、それぞれのレンズ６２の光軸ＯＡは、基板５０の表面の法線方向に対して、凹部１６が基板５０の中心に対して偏在する方向と反対側の方向に傾いており、それぞれのレンズ６２から出射する第２光源５２からの光は、第２光源５２から出射する光の発散角よりも小さな発散角で基板５０の中心を通る基板５０の法線から離れる方向に伝搬する。
【００８５】
本実施形態の灯具１によれば、第１実施形態の灯具１のように、レンズ６２とアウターカバー７０とが別体である場合と比べて、灯具をより簡易な構成とできる。また、レンズ６２がハウジング１０とアウターカバー７０との間に非配置とされるため、アウターカバー７０をよりハウジング１０に近づけることで灯具１を小型化し得る。
【００８６】
以上、本発明について、実施形態を例に説明したが、本発明はこれらに限定されるものではない。
【００８７】
例えば、上記実施形態では、ハウジング１０が金属から成るとされたがハウジング１０は金属以外で構成されてもよい。ただし、ハウジング１０に生じる突入電流をアース２２から逃がす観点、及び、放熱性に優れる観点から、ハウジング１０は金属で構成されることが好ましい。
【００８８】
また、上記実施形態では、アース２２は必須ではないが、上記のようにハウジング１０に生じる突入電流をアース２２から逃がす観点から、灯具１がハウジング１０に接続されるアース２２を備えることが好ましい。なお、アース２２のハウジング１０への接続位置は必ずしも収容室としての凹部１６内でなくてもよい。ただし、アース２２が凹部１６内でハウジング１０に接続されることが、大型化を抑制し得る観点から好ましい。
【００８９】
また、第１の態様における灯具の観点では、アウターカバー７０は必至ではない。ただし、塵埃が光源等に付着することを抑制する観点からアウターカバー７０が設けられることが好ましい。また、ホルダー８０は必須ではなく、ホルダー８０が設けられる場合であっても、ホルダー８０は金属製でなくてもよい。ただし、熱伝導性に優れる観点からホルダー８０は金属製であることが好ましい。
【００９０】
また、第１の態様における灯具の観点では、光源が第１光源５１及び第２光源５２の一方のみであってもよい。ただし、アウターカバー７０の拡散領域７１から拡散する光ＤＬを出射させ、非拡散領域７２から拡散が抑制された光ＣＬを出射させる観点から、灯具１は第１光源５１及び第２光源５２を備えることが好ましい。
【００９１】
また、第１光源５１が１つであっても３つ以上であってもよい。また、第１光源５１が必ずしも収容室である凹部１６を挟む位置に配置されず、凹部１６の一方側のみに配置されてもよい。ただし、凹部１６を形成する互いに対向するそれぞれの側壁部１６Ｓに第１光源５１からの熱を分散させて伝導させることでより放熱性に優れる観点から、第１光源５１は収容室である凹部１６を挟む位置に配置されることが好ましい。
【００９２】
また、第２光源５２は、１つであっても３つ以上であってもよい。また、第２光源５２が、上記実施形態と異なる位置に配置されてもよい。ただし、第２光源５２は、収容室である凹部１６を挟んで配置された第１光源５１を結ぶ第１方向と垂直な第２方向において、凹部１６と並んで配置されることが、第１光源５１に近い凹部１６の側壁部１６Ｓと隣り合う側壁部１６Ｓに第２光源５２からの熱を伝導させ得て、より放熱性に優れる観点から好ましい。
【００９３】
また、第１光源５１と第２光源５２とが切り換えられて点灯される構成であってもよい。
【００９４】
また、収容室で凹部１６が、前記基板の中心に対して偏在していなくてもよい。ただし、光源を効率的に配置し得る観点から、凹部１６は、基板５０の中心に対して上記第２方向に沿って偏在することが好ましい。また、凹部１６を基準として第２光源５２が配置される側と反対側にも光源が配置されてもよい。
【００９５】
また、基板５０における凹部１６と重なる位置に光源以外の電子部品が非配置とされてもよい。また、第２の態様における灯具の観点では、基板５０における凹部１６と重なる位置に光源が配置されてもよい。
【００９６】
また、第２光源５２からの光の発散角を小さくする必要がなければ、灯具１はレンズ６２を備えなくてもよい。
【００９７】
また、非拡散領域７２がアウターカバー７０の中心に対して偏在した位置に設けられなくてもよい。ただし、第２光源５２から出射する光をアウターカバーの中心に対して偏在した方向に出射させる観点から、非拡散領域７２がアウターカバー７０の中心に対して偏在した位置に設けられることが好ましい。なお、非拡散領域７２がアウターカバー７０の中心に対して偏在した位置に設けられる場合であっても、第２光源５２からの光がアウターカバー７０から出射する方向が非拡散領域７２がアウターカバー７０の中心に対して偏在した方向とされなくてもよい。
【００９８】
また、非拡散領域７２がアウターカバー７０の外周に接していなくてもよい。ただし、非拡散領域７２がアウターカバー７０の中心に対して偏在される場合、非拡散領域７２がアウターカバー７０の外周に接する方が、第１光源５１と非拡散領域７２との距離を大きくでき、第１光源５１からの光が非拡散領域７２から漏洩することを抑制できる観点から好ましい。
【００９９】
また、レンズ６２の光軸の方向は、アウターカバー７０から出射する第２光源５２からの光の方向とされなくてもよい。つまり、レンズ６２が多少の誤差をもって取り付けられ、レンズ６２の光軸方向以外に第２光源５２からの光が出射してもよい。
【０１００】
また、第１光源５１と第２光源５２とが別個の基板上に配置されてもよい。ただし、小型化の観点から、第１光源５１と第２光源５２とが共通の基板５０上に配置されることが好ましい。
【０１０１】
また、非拡散領域７２の面積が拡散領域７１の面積以上であってもよい。ただし、拡散する光ＤＬを広い範囲から出射させる観点から、非拡散領域７２よりも拡散領域７１の面積が広いことが好ましい。
【０１０２】
また、上記第２の態様における灯具の観点では、ハウジング１０に収容室である凹部１６が設けられなくてもよい。ただし、凹部１６内に電線２０を収容されることで、基板５０の脇に不要な電線がはみ出ることを抑制できる観点から、凹部１６が設けられることが好ましい。
【０１０３】
本発明の第１の態様によれば、放熱性が阻害されることを抑制しつつ小型化し得る灯具が提供され、本発明の第２の態様によれば、広範囲の照明と局所的に明るい照明とを実現しつつ、大型化が抑制され得る灯具が提供され、航空機貨物室用の照明や、車両用の照明等の技術分野において利用可能である。
【符号の説明】
【０１０４】
１・・・灯具
１０・・・ハウジング
１１・・・底壁
１２・・・側壁
１６・・・凹部（収容部）
２０・・・電線
２２・・・アース
４０・・・伝熱性シート
５０・・・基板
５１・・・第１光源
５２・・・第２光源
６０・・・レンズユニット
６２・・・レンズ
７０・・・アウターカバー
７１・・・拡散領域
７２・・・非拡散領域
８０・・・ホルダー
【図１】
2020149245.tif 000003
【図２】
2020149245.tif 000004
【図３】
2020149245.tif 000005
【図４】
2020149245.tif 000006
【図５】
2020149245.tif 000007
【図６】
2020149245.tif 000008
【図７】
2020149245.tif 000009
【国際調査報告】
2020149245.tif 000010
2020149245.tif 000011
2020149245.tif 000012
2020149245.tif 000013
2020149245.tif 000014
2020149245.tif 000015